(57)【要約】【課題】  地面撮り部分を消去する。【解決手段】  記録・再生・消去部２０は、撮像された被写体の映像信号を記録メディア４２に記録する。回転角度検出部（３２）は、撮像装置（１０）の回転角度を検出する。地面撮り検出部（３４）は、地面撮り状態を検出する。地面撮り編集制御部（３６）は、検出部（３２，３４）の検出結果に従い、記録メディア４２に記録される映像信号の地面撮り部分を決定し、地面撮り部分を記録・再生・消去部（２０）に消去させる。【選択図】  図１
2008206099.tif 000002
【特許請求の範囲】
【請求項１】
被写体を撮影して得られた動画像信号を記録する装置であって、
撮像手段と、
前記撮像手段により得られた動画像信号を記録メディアに対して記録すると共に前記記録メディアに記録された動画像信号を消去する記録手段と、
前記装置の回転角度を検出する角度検出手段（３２）と、
前記装置の地面撮り状態を検出する地面撮り検出手段（３４）と、
前記角度検出手段、及び前記地面撮り検出手段の検出結果に従い、前記記録メディアに記録された動画像信号中の地面撮り部分を検出し、前記記録メディアから前記地面撮り部分を消去するよう前記記録手段を制御する地面撮り編集制御手段（３６）
とを有することを特徴とする記録装置。
【請求項２】
前記地面撮り編集制御手段は、
地面撮り位置を設定する地面撮り位置設定手段（３６ａ）と、
前記地面撮り位置設定手段によって設定された地面撮り位置により記録終了後に地面撮り部分の映像信号の消去を前記記録・再生・消去手段に指示する地面撮り編集手段（３６ｂ）
とを有し、
前記地面撮り位置設定手段（３６ａ）は、前記角度検出手段より検出された回転角度と前記地面撮り検出手段より検出された地面撮り状態の情報から、地面撮り状態へと移行したフレームより前のフレーム中で前記回転角度が閾値を超えた最初のフレームを地面撮りデータ開始点とし、地面撮り状態から復帰したフレームより後のフレーム中で撮像装置の回転角度が閾値を超えたフレームより１フレーム前を地面撮りデータ終了点として設定する
ことを特徴とする請求項１に記載の記録装置。
【請求項３】
前記地面撮り検出手段によって地面撮りを検出した後、一定時間経過した後に自動で記録を中断するよう前記記録手段を制御する記録停止制御手段を備えたことを特徴とする請求項１に記載の記録装置。
【請求項４】
前記地面撮り編集手段（３６ｂ）は、前記記録停止制御手段により記録停止した後、前記地面撮り位置設定手段により設定された地面撮りデータ開始点以降を消去することを特徴とする請求項３に記載の記録装置。
【請求項５】
被写体を撮影して得られた動画像信号を記録する装置であって、
撮像手段と、
前記撮像手段により得られた動画像信号を記録メディアに記録すると共に前記記録メディアに記録された動画像信号を消去する記録手段（２０）と、
前記装置の回転角度を検出する角度検出手段（３２）と、
前記装置の地面撮り状態を検出する地面撮り検出手段（３４）と、
前記角度検出手段、及び前記地面撮り検出手段の検出結果に従い、前記記録メディアに記録される映像信号の地面撮り部分を検出し、前記動画像信号のうち前記地面撮り部分を除いた部分を選択して再生するためのプレイリストを作成して前記記録メディアに記録する地面撮り編集制御手段（３６）
とを有することを特徴とする記録装置。
【請求項６】
更に、地面撮り部分を含むシーンのサムネイル画像を表示する手段を有することを特徴とする請求項５に記載の記録装置。
【請求項７】
更に、地面撮りデータ開始点から終了点までのみの再生、地面撮りデータ開始点から終了点までを除いたプレイリストの再生、及び地面撮りを含む１シーン全部の再生の何れかを選択して実行する手段を有することを特徴とする請求項５に記載の記録装置。
【請求項８】
更に、前記地面撮り位置設定手段によって設定された地面撮り位置に従い、地面撮り部分を前記記録・再生・消去手段に消去させる手段を有することを特徴とする請求項５に記載の記録装置。
【請求項９】
更に、連続する動画データのうち、地面撮りデータ開始点から終了点までの部分、地面撮りデータ開始点及び終了点を含む連続する１シーンの動画データ、及び地面撮りデータ開始点及び終了点を含む複数の動画データ全ての何れかを指定して、前記記録・再生・消去手段に消去させる手段ｍを有することを特徴とする請求項５に記載の記録装置。
【発明の詳細な説明】
【技術分野】
【０００１】
本発明は、記録装置に関し、より具体的には、地面撮り部分を動画から消去する機能を有する記録装置に関する。
【背景技術】
【０００２】
動画撮影が可能なビデオカメラでは、同一のトグルスイッチを撮影（録画）の開始と終了（ポーズ）の指示に使用することが一般的であり、しばしば、カメラ背面に設置されている。
【０００３】
また、近年では、ビデオカメラの小型化が進んでおり、片方の手のみであっても簡単に操作することができ、そのまま片手で持ち歩くことも可能である。
【０００４】
そのため、撮影者が撮影を終了したつもりが、実際には終了していないという状況がしばしば起こりうる。そのとき、例えば、撮影状態のカメラを片手に持ったまま手を下ろしてしまい、地面をずっと撮影している状態（以降、地面撮りと呼ぶ）となることがある。
【０００５】
このとき、撮影者が気付き、改めて撮影終了操作をしたとしても、意図した撮影シーンの後に地面撮りシーンが無駄に記録されてしまっていることは避け得ない。
【０００６】
地面撮りの状態を検出した場合、その旨を警告表示し、自動的に撮影（録画）を停止する技術が、特許文献１に記載されている。
【特許文献１】特開平８−２７５０３３号公報
【発明の開示】
【発明が解決しようとする課題】
【０００７】
特許文献１に記載の技術でも、地面撮りを検出してから撮影を停止するまでの期間、地面を録画してしまう。
【０００８】
また、特許文献１に記載の技術では、地面撮りの警告表示の後、所定期間内に撮影続行の指示が無い場合に撮影を自動停止している。しかし、撮影中に警告表示を出したり、何らかの操作を要求することは、撮影の邪魔になってしまう。
【０００９】
また、一連の撮影中に、撮影者が意図する正常撮影部分と地面撮りなどの意図しない不要撮影部分が混在する場合が考えられる。そのため、一連の撮影シーンのうち、不要な地面撮り部分のみを容易に消去することが望まれる。
【００１０】
そこで、本発明は、上記の問題点に鑑み、連続する動画データの地面撮り部分のみを消去する機能を具備する記録装置を提示することを目的とする。
【課題を解決するための手段】
【００１１】
上記目的を達成するために、本発明に係る記録装置は、被写体を撮影して得られた動画像信号を記録する装置であって、撮像手段と、前記撮像手段により得られた動画像信号を記録メディアに対して記録すると共に前記記録メディアに記録された動画像信号を消去する記録手段と、前記装置の回転角度を検出する角度検出手段と、前記装置の地面撮り状態を検出する地面撮り検出手段と、前記角度検出手段、及び前記地面撮り検出手段の検出結果に従い、前記記録メディアに記録された動画像信号中の地面撮り部分を検出し、前記記録メディアから前記地面撮り部分を消去するよう前記記録手段を制御する地面撮り編集制御手段とを有することを特徴とする。
【００１２】
好ましくは、前記地面撮り編集制御手段は、前記地面撮り位置設定手段は、前記角度検出手段より検出された回転角度と前記地面撮り検出手段より検出された地面撮り状態の情報から、地面撮り状態へと移行したフレームより前のフレーム中で前記回転角度が閾値を超えた最初のフレームを地面撮りデータ開始点とし、地面撮り状態から復帰したフレームより後のフレーム中で撮像装置の回転角度が閾値を超えたフレームより１フレーム前を地面撮りデータ終了点として設定することを特徴とする。
【００１３】
好ましくは、前記地面撮り検出手段によって地面撮りを検出した後、一定時間経過した後に自動で記録を中断するよう前記記録手段を制御する記録停止制御手段を備えたことを特徴とする。
【００１４】
好ましくは、前記地面撮り編集手段は、前記記録停止制御手段により記録停止した後、前記地面撮り位置設定手段により設定された地面撮りデータ開始点以降を消去することを特徴とする。
【００１５】
本発明に係る記録装置は、被写体を撮影して得られた動画像信号を記録する装置であって、撮像手段と、前記撮像手段により得られた動画像信号を記録メディアに記録すると共に前記記録メディアに記録された動画像信号を消去する記録手段と、前記装置の回転角度を検出する角度検出手段と、前記装置の地面撮り状態を検出する地面撮り検出手段と、前記角度検出手段、及び前記地面撮り検出手段の検出結果に従い、前記記録メディアに記録される映像信号の地面撮り部分を検出し、前記動画像信号のうち前記地面撮り部分を除いた部分を選択して再生するためのプレイリストを作成して前記記録メディアに記録する地面撮り編集制御手段とを有することを特徴とする。
【００１６】
好ましくは、更に、地面撮り部分を含むシーンのサムネイル画像を表示する手段を有することを特徴とする。
【００１７】
好ましくは、更に、地面撮りデータ開始点から終了点までのみの再生、地面撮りデータ開始点から終了点までを除いたプレイリストの再生、及び地面撮りを含む１シーン全部の再生の何れかを選択して実行する手段を有することを特徴とする。
【００１８】
好ましくは、更に、前記地面撮り位置設定手段によって設定された地面撮り位置に従い、地面撮り部分を前記記録・再生・消去手段に消去させる手段を有することを特徴とする。
【００１９】
好ましくは、更に、連続する動画データのうち、地面撮りデータ開始点から終了点までの部分、地面撮りデータ開始点及び終了点を含む連続する１シーンの動画データ、及び地面撮りデータ開始点及び終了点を含む複数の動画データ全ての何れかを指定して、前記記録・再生・消去手段に消去させる手段ｍを有することを特徴とする。
【発明の効果】
【００２０】
本発明によれば、地面撮り部分を効率的に消去できる。
【発明を実施するための最良の形態】
【００２１】
以下、図面を参照して、本発明の実施例を詳細に説明する。
【実施例１】
【００２２】
図１乃至図４を参照して、本発明の実施例１を説明する。図１は、本発明の実施例１である撮像装置１０の概略構成ブロック図を示す。図２は、地面撮り編集制御部の概略構成ブロック図を示す。図３は、撮像装置１０の背面の外観図を示す。図４は、撮像装置１０の回転角度と方向を示す模式図を示す。図５は、撮像装置１０の回転角度と地面撮りデータの関係を示す模式図である。
【００２３】
図１において、撮像装置１０の画像入力部１２は、例えば複数の撮影レンズ、光学像を画像信号に変換するＣＣＤ（Charge-Coupled Device）撮像素子等からなる。画像入力部１２により入力される被写体の画像信号は、画像処理部１４で画像処理され、液晶モニタ等で構成される画像表示部１６によって表示される。
【００２４】
マイク等で構成される音声入力部２２は、周囲の音声を取り込み、音声信号を音声処理部２４に供給する。音声処理部２４は、音声入力部２２からの音声信号を音声処理する。スピーカ等で構成される音声出力部２６が、音声処理部２４で処理された音声信号を音出力する。
【００２５】
記録モード時には、フォーマット制御部１８が、画像処理部１４により処理された画像信号又は映像信号と、音声処理部２４で処理された音声信号を記録フォーマットに変換する。記録・再生・消去部２０は、フォーマット制御部１８からの記録フォーマットの画像音声信号を記録メディア４２に記録する。
【００２６】
再生モード時には、記録・再生・消去部２０は、記録メディ４２から指定の画像音声信号を再生し、フォーマット制御部１８に供給する。フォーマット制御部１８は、記録・再生・消去部２０からの画像音声信号を表示及び出力可能なフォーマットに変換する。フォーマット制御部１８は、フォーマット変換された画像信号を画像処理部１４に供給し、音声信号を音声処理部２４に供給する。画像処理部１４は、フォーマット制御部１８からの画像信号を表示用に処理して画像表示部１６に供給する。音声処理部２４は、フォーマット制御部１８からの音声信号を出力用に処理して音声出力部２６に供給する。これにより、再生画像が画像表示部１６により表示され、再生音声が音声出力部２６から出力される。
【００２７】
回転角度検出部３２は、撮像装置１０の回転角度を検出し、検出した回転角度を検出結果として記録・再生・消去部２０に供給する。ここでは、撮像装置１０のレンズの光軸が地面と平行な状を０度とし、レンズの光軸が地面の方向へ向けて傾くに従い、撮像装置１０の検出回転角度の値が大きくなるものとする。記録・再生・消去部２０は、回転角度検出部３２からの検出回転角度を、撮影画像信号ごとに、即ち撮影映像信号のフレームごとに、記録メディア４２にユーザ情報ファイルとして記録する。検出回転角度を各画像信号に付加情報として付加してもよい。
【００２８】
地面撮り検出部３４は、撮像装置１０の地面撮り状態を検出する。具体的には、地面撮り検出部３４は、回転角度検出部３２の回転角度が９０度以上である場合に、地面撮り状態を検出したとする。記録・再生・消去部２０は、地面撮り検出部３４からの地面撮り状態を、撮影画像信号ごとに、即ち撮影映像信号のフレームごとに内蔵メモリ４０に格納する。
【００２９】
ユーザ管理情報検出部３８が、記録メディア４２と内蔵メモリ４０から地面撮り状態を検出すると、地面撮り編集制御部３６は、地面撮り情報を記録・再生・消去部２０を介して内蔵メモリ４０に格納する。
【００３０】
記録停止入力部２８は、撮像装置１０に記録開始と記録終了をトグル動作で指示するのに使用される。記録停止入力部２８によりユーザが記録停止を指示すると、記録停止制御部３０は、記録・再生・消去部２０に記録の停止を指示する。これにより、撮像装置１０は停止状態に移行する。撮像装置１０が連続する１シーンの記録を終了し停止状態に移行すると、記録・再生・消去部２０は、内蔵メモリ４０から地面撮り情報を読み出し、記録メディア４２からユーザ情報ファイルを読み出す。ユーザ管理情報検出部３８は、地面撮り情報とフレームに対応した撮像装置１０の回転角度を検出する。地面撮り編集制御部３６は、地面撮り情報と回転角度の情報をもとに、地面撮りデータ開始位置を設定し、記録・再生・消去部２０により地面撮りデータ開始位置以降のデータを記録メディア４２から消去する。同時に、記録・再生・消去部２０は、地面撮り状態と地面撮り情報を内蔵メモリ４０から消去する。
【００３１】
図２を参照して、地面撮り編集制御部３６の構成と動作を詳しく説明する。地面撮り編集制御部３６は、地面撮り位置設定部３６ａ及び地面撮り編集部３６ｂを備える。
【００３２】
地面撮り位置設定部３６ａは、撮像装置１０の回転角度と地面撮り状態の情報から、連続する動画データにおける地面撮りデータ開始点を設定する。地面撮り編集部３６ｂは、地面撮り位置設定部３６ａによって設定された地面撮りデータ開始点以降の連続する動画データを、不要な地面撮りデータとし消去するよう制御を行う。ＣＰＵ４４が、地面撮り位置設定部３６ａ及び地面撮り編集部３６ｂの動作を制御する。
【００３３】
図４を参照して、地面撮り検出部３４の作用を説明する。図４では、撮像装置１０のレンズの光軸が地面と平行な状態（Ａ）を０°とし、レンズの光軸が地面の方向に傾くに従って角度の値が大きくなるものとする。状態（Ｂ）で角度４５°になり、状態（Ｃ）で９０°になる。ただし、地面撮り検出部３４は、撮像装置１０の回転角度が９０°以上であることを検出した場合に地面撮り状態と検出する。また、地面撮り状態を連続して５秒間、検出した場合、記録停止制御部３０が、撮像装置１０を停止状態に移行させる。地面撮り状態検出方法、及び地面撮りを検出してから停止状態へと移行する条件は、ユーザが任意に設定可能である。
【００３４】
撮像装置１０の回転角度はレンズの光軸が地面と平行な状態から下（地面）の方向に対して検出しているが、上方向又は左右方向に対しても回転角度を検出してもよい。本実施例では、地面撮りデータを設定する時における撮像装置１０の回転角度の閾値を４５°としているが、この閾値はユーザが任意に設定可能である。
【００３５】
図５を参照して、撮像装置１０の回転角度と地面撮りデータの関係を説明する。撮影者が記録ボタンを押すことによって記録がスタートする（Ａ点）。撮像装置１０の回転角度は常に検出され、回転角度が９０°を超えたフレームを地面撮り検出点（Ｂ点）とし、回転角度が９０°以上の状態が一定時間（５秒間）経過した場合、自動で記録を中断し一時停止となる（Ｃ点）。Ｃ点より前のフレームで回転角度が閾値（４５度）を初めて超えたフレーム（Ｄ点）を地面撮りデータ開始点とし、Ｄ点以降のデータを不要な地面撮りデータとして消去する。
【００３６】
図６を参照して、地面撮り編集制御部３６の動作を説明する。図６は、地面撮り編集制御部３６の動作を示すフローチャートである。
【００３７】
本実施例の機能（地面撮り消去機能）を無効にした場合（Ｓ１）、記録停止入力部２８が押されて記録開始になると（Ｓ１４）、撮像装置１０の回転角度を検出する（Ｓ１５）。地面撮りが検出され（Ｓ１６）、地面撮りが一定時間（５秒間）継続したならば（Ｓ１７）、自動で記録終了となり、停止モードに移行する（Ｓ１８）。
【００３８】
本実施例の機能（地面撮り消去機能）を有効にした場合（Ｓ１）、記録停止入力部２８が押されて記録開始になると（Ｓ２）、撮像装置１０の回転角度を検出し（Ｓ３）、検出した回転角度を入力映像信号のフレームに対応して記録する（Ｓ４）。
【００３９】
地面撮り状態でなければ（Ｓ５）、検出開始点をクリアし（Ｓ６）、地面撮り状態が検出されるまで、ステップＳ３，Ｓ４，Ｓ６を繰り返す。地面撮り状態を検出し（Ｓ５）、かつ検出開始点がまだ設定されていなければ（Ｓ７）、このフレームを検出開始点として設定し（Ｓ８）、Ｓ３に戻る。検出開始点を設定済の場合（Ｓ７）、地面撮りを一定時間（ここでは５秒間）以上、継続するまで（Ｓ９）、ステップＳ３〜Ｓ７を繰り返す。
【００４０】
地面撮りが一定時間（ここでは５秒）以上、継続した場合（Ｓ９）、検出開始点を地面撮り開始点として設定し（Ｓ１０）、自動で記録を停止する（Ｓ１１）。地面撮り開始点と回転角度情報から不要な地面撮りデータを設定する（Ｓ１２）。そして、設定した地面撮り開始点以降のデータを不要データとして記録メディア４２から消去する（Ｓ１３）。
【００４１】
図７は、ステップＳ１２（地面撮りデータ設定）のより詳細なフローを示す。地面撮り開始点をＮフレーム目とする（Ｓ２１）。ｎ＝Ｎと設定し、ｎフレーム目の回転角度を検出する（Ｓ２２）。検出したｎフレーム目の回転角度が閾値（４５°）より小さければ（Ｓ２３）、ｎフレーム目の次のフレームであるｎ＋１フレーム目を地面撮りデータ開始点と設定する（Ｓ２５）。
【００４２】
ｎフレーム目の回転角度が閾値（４５°）以上の場合（Ｓ２３）、ｎをデクリメントして（ｎ＝ｎ−１）、回転角度を検出し（Ｓ２４）、ステップＳ２３〜Ｓ２４を繰り返す。即ち、回転角度が４５度未満になるまで、フレームを遡る。
【００４３】
このようにして、本実施例では、記録停止後に不要な地面撮りデータ部分を自動で記録メディア４２から消去する。
【実施例２】
【００４４】
本発明の実施例２を説明する。実施例１では、記録時に不要地面撮りデータを消去していたが、実施例２では、再生時に不要地面撮りデータを消去できるようにした。
【００４５】
実施例２の記録モードでは、撮像装置１０が連続する１シーンの記録を終了して停止モードに移行すると、記録・再生・消去部２０は、内蔵メモリ４０から地面撮り状態を読み出し、記録メディア４２からユーザ情報ファイルを読み出す。ユーザ管理情報検出部３８は、地面撮り情報とフレームに対応した撮像装置１０の回転角度が検出する。
【００４６】
地面撮り情報ファイルと回転角度の情報をもとに、地面撮り編集制御部３６は、地面撮りデータ開始位置及び地面撮りデータ終了位置を設定し、地面撮り情報に追加して、記録・再生・消去部２０に供給する。記録・再生・消去部２０は、地面撮り編集制御部３６からの地面撮り情報、地面撮りデータ開始位置及び地面撮りデータ終了位置を、ユーザ情報ファイルとして記録メディア４２に記録する。同時に、地面撮り編集制御部３６は、地面撮り部分を除いたプレイリストも作成し、記録メディア４２に記録する。
【００４７】
再生モードには、記録シーンが全て表示される通常メニューと、地面撮りが含まれるデータのみを表示する地面撮りメニューがある。地面撮りメニューが選択されると、地面撮り編集制御部３６は、地面撮りが含まれるデータのサムネイルを表示する。そして、地面撮りを含む１シーン全て、１シーン中の地面撮り部分以外の部分、及び１シーン中の地面撮り部分の何れかを選択して再生できる。また、地面撮りを含むシーン全て、全シーンにおける地面撮り部分、地面撮りを含む１シーン、及び１シーン内における地面撮り部分の何れかを選択して消去することができる。
【００４８】
記録メディア４２のファイル構成を簡単に説明する。図８は、記録メディア４２のファイル構成の模式図である。記録メディア４２は、画像（映像）ファイルを収める領域として画像フォルダ５０を有し、音声ファイルを収める領域として音声フォルダを備える。
【００４９】
画像フォルダ５０には、画像（映像）を再生するための情報ファイル（画像再生ファイル）、実際の画像（映像）データファイル、及びバックアップファイルが収容される。ユーザ情報ファイルは、ユーザファイル（Ｕｓｅｒ．ｉｎｆｏ）５２として画像フォルダ５０内のこれらの画像データファイルに関連付けて記録される。
【００５０】
図９を参照して、撮像装置１０の回転角度と地面撮りデータの関係を説明する。撮影者が記録停止入力部２８を押すことによって記録がスタートする（ａ点）。撮像装置１０の回転角度は常に検出される。回転角度が９０°を超えたフレームを地面撮り検出点（ｂ点，ｄ点）とする。回転角度が９０°以上の状態が一定時間（５秒間）経過した場合、地面撮りデータ検出開始点としてｂ点，ｄ点を設定する。地面撮り検出開始点が設定されると、地面撮り検出終了点の検出が始まる。
【００５１】
撮像装置１０の回転角度が９０°より小さくなったフレームより１フレーム前（ｃ点，ｅ点）を地面撮り検出終了点とする。撮影者が記録停止入力部２８を押すことによって記録が終了となり、ポーズモードとなる（ｆ点）。地面撮り検出開始点（ｂ点，ｄ点）より前のフレームであって回転角度が閾値を初めて超えたフレーム（ｇ点，ｉ点）を地面撮りデータ開始点とする。地面撮り検出終了点（ｃ点，ｅ点）より後ろのフレームであって、回転角度が初めて閾値以下になったフレーム（ｈ点，ｊ点）を地面撮りデータ終了点とする。
【００５２】
地面撮りデータ開始点の後ろに地面撮り検出終了点が存在しなかった場合には、１シーンの最後のフレームを地面撮りデータ終了点とする。地面撮りデータ開始点と地面撮りデータ終了点を設定した後、地面撮りデータ開始点と地面撮りデータ終了点の間を除いて再生するためのプレイリストを作成する。再生モード時の地面撮りメニューで、再生と、地面撮りデータの消去を実行できる。
【００５３】
図１０を参照して、実施例２での地面撮り編集制御部３６の動作を説明する。図１０は、実施例２における地面撮り編集制御部３６の動作フローチャートである。
【００５４】
記録停止入力部２８が押されて記録開始になると（Ｓ３１）、撮像装置１０の回転角度を検出し（Ｓ３２）、検出した回転角度を入力映像信号のフレームに対応して記録する（Ｓ３３）。
【００５５】
地面撮り開始点を設定していない場合（Ｓ３４）、このフレームにおいて地面撮り状態でなければ（Ｓ３５）、地面撮り検出開始点をクリアし（Ｓ３６）、地面撮り状態が検出されるまでステップＳ３２〜Ｓ３６を繰り返す。地面撮り状態で（Ｓ３５）、かつ地面撮り検出開始点がまだ設定されていなければ（Ｓ３７）、このフレームを地面撮り検出開始点として設定し（Ｓ３８）、ステップＳ３２に戻る。地面撮り検出開始点が設定済の状態で（Ｓ３７）、地面撮りを一定時間（５秒間）継続するまで（Ｓ３９）、ステップＳ３２〜Ｓ３９を繰り返す。地面撮りを一定時間継続した場合（Ｓ３９）、地面撮り検出開始点を地面撮り開始点として設定すると共に、ユーザ情報に記録する（Ｓ４０）。
【００５６】
地面撮り開始点が既に設定されていて（Ｓ３４）、地面撮り状態が検出されている場合（Ｓ４２）、そのフレームを地面撮り終了点として設定し、ユーザ情報に記録する（Ｓ４３）。
【００５７】
地面撮り開始点が既に設定済みで（Ｓ３４）、かつ現在のフレームで地面撮り状態が検出されない場合（Ｓ４２）、現在設定してある地面撮り終了点をユーザ情報に記録する（Ｓ４４）。そして、現時点で設定されている地面撮り開始点をクリアする。記録終了でなければ（Ｓ４１）、ステップ３２〜Ｓ４５を繰り返す。記録終了であれば（Ｓ４１）、記録した地面撮り開始点と地面撮り終了点から地面撮りデータを設定し、ユーザ情報に記録する（Ｓ４６）。
【００５８】
図１１は、図１０の地面撮りデータの設定（Ｓ４６）の詳細なフローチャートを示す。地面撮り検出開始点のフレーム（Ｓフレーム目とする）を検出する（Ｓ５１）。変数ｎにＳをセットし、ｎフレームの撮像装置１０の回転角度を検出する（Ｓ５２）。ｎフレームにおける撮像装置１０の回転角度が４５°以上であれば（Ｓ５３）、ｎをデクリメントして、ｎフレームにおける撮像装置１０の回転角度を検出し（Ｓ５４）、４５°以上かどうかを調べる（Ｓ５３）。即ち、撮像装置１０の回転角度が４５°未満にまるまで、フレームを遡る。ｎフレームにおける撮像装置１０の回転角度が４５°未満になれば（Ｓ５３）、ｎ＋１フレームを地面撮りデータ開始点として設定する（Ｓ５５）。
【００５９】
地面撮りデータ開始点を設定する為に用いた地面撮り検出開始点に対応する地面撮り検出終了点のフレーム（Ｅフレーム目とする）が検出できたならば（Ｓ５６）、変数ｍにＥをセットし、ｍフレームにおける撮像装置１０の回転角度を検出する（Ｓ５７）。回転角度が４５°未満になるまで（Ｓ５８）、ｍをインクリメントする（Ｓ５９）。回転角度が４５°未満になると（Ｓ５８）、ｍ−１フレームを地面撮りデータ終了点として設定する（Ｓ６０）。
【００６０】
既に用いたもの以外に地面撮り検出開始点が存在するのであれば（Ｓ６１）、ステップＳ５１〜Ｓ６０を繰り返し、無ければ、終了する。
【００６１】
図１２は、地面撮りデータ編集動作のフローチャートを示す。記録モードであれば（Ｓ７１）、１シーンの記録が終了する毎に、地面撮りを除いて再生するためのプレイリストを作成する（Ｓ７２）。記録モードではなく（Ｓ７１）、再生モードで（Ｓ７３）、地面撮りメニューが選択された場合（Ｓ７４）、地面撮りを含むシーンのみをサムネイル作成し、表示する（Ｓ７５）。
【００６２】
ある地面撮りシーンが選択された状態で（Ｓ７６）、再生コマンドが選択されたら（Ｓ７７）、再生処理を実行する（Ｓ７８）。消去コマンドが選択されたら（Ｓ７９）、消去処理を実行する（Ｓ８０）。再生メニューが変更されるか、再生モードが終了するか、又は電源がオフにされるまで（Ｓ８１）、ステップＳ７６〜Ｓ８１を繰り返す。
【００６３】
図１３は、地面撮りデータの再生処理のフローチャートを示す。選択したシーンについて、地面撮り部分を含む１シーン全ての再生が選択された場合（Ｓ９１）、１シーンを全て再生する（Ｓ９２）。地面撮り部分を除いた再生が選択された場合（Ｓ９３）、記録終了後に作成した、地面撮り部分を除いて再生するためのプレイリストに従って、当該シーンを再生する（Ｓ９４）。地面撮り部分再生が選択された場合（Ｓ９５）、１シーン中に地面撮り部分が複数存在するときには、再生すべき地面撮り部分を選択し（Ｓ９６）、選択された地面撮り部分のみを再生する（Ｓ９７）。
【００６４】
図１４は、地面撮りデータの消去処理のフローチャートを示す。選択されたシーンが１つである場合で（Ｓ１０１）、地面撮り部分を含む１シーンの全消去が選択されたときには（Ｓ１０２）、選択された１シーン全てを記録メディアから消去する（Ｓ１０３）。地面撮り部分の消去が選択された場合（Ｓ１０４）、消去すべき地面撮り部分を選択し（Ｓ１０５）、選択した地面撮り部分のみを記録メディアから消去する（Ｓ１０６）。ステップＳ１０５，Ｓ１０６を全地面撮り部分について繰り返す（Ｓ１０７）。
【００６５】
複数シーンまたは全シーンが選択されている場合で（Ｓ１０１）、地面撮り部分を含むシーンの全消去が選択されたときには（Ｓ１０８）、選択したシーンの全てを記録メディアから消去する（Ｓ１０９）。地面撮り部分のみの消去が選択されたときには（Ｓ１１０）、選択した複数シーンの地面撮り部分のみを記録メディアから消去する（Ｓ１１１）。
【００６６】
このようにして、連続する動画データにおいて地面撮りを行った場合、不要な地面撮りデータ部分を効率良く消去できる。
【図面の簡単な説明】
【００６７】
【図１】本発明の実施例１である撮像装置の概略構成ブロック図である。
【図２】地面撮り編集制御部の概略構成ブロック図である。
【図３】撮像装置の外観図である。
【図４】撮像装置の回転角度と方向を示す模式図である。
【図５】撮像装置の回転角度と地面撮りデータの関係を示す模式図である。
【図６】地面撮り編集制御部３６の動作フローチャートである。
【図７】ステップＳ１２（地面撮りデータ設定）のより詳細なフローチャートである。
【図８】本発明の実施例２における記録メディアのファイル構成の示す模式図である。
【図９】実施例２での撮像装置の回転角度と地面撮りデータの関係を示す模式図である。
【図１０】実施例２での地面撮り位置制御動作を示すフローチャートである。
【図１１】実施例２での地面撮りデータ設定動作を示すフローチャートである。
【図１２】実施例２での地面撮りデータ編集動作を示すフローチャートである。
【図１３】実施例２での地面撮りデータ再生動作を示すフローチャートである。
【図１４】実施例２での地面撮りデータ消去動作を示すフローチャートである。
【符号の説明】
【００６８】
１０  撮像装置
１２  画像入力部
１４  画像処理部
１６  画像表示部
１８  フォーマット制御部
２０  記録・再生・消去部
２２  音声入力部
２４  音声処理部
２６  音声出力部
２８  記録停止入力部
３０  記録停止制御部
３２  回転角度検出部
３４  地面撮り検出部
３６  地面撮り編集制御部
３６ａ  地面撮り位置設定部
３６ｂ  地面撮り編集部
３８  ユーザ管理情報検出部
４０  内蔵メモリ
４２  記録メディア
４４  ＣＰＵ
４６  記録停止ボタン
５０  画像フォルダ
５２  ユーザファイル
【図１】
2008206099.tif 000003
【図２】
2008206099.tif 000004
【図３】
2008206099.tif 000005
【図４】
2008206099.tif 000006
【図５】
2008206099.tif 000007
【図６】
2008206099.tif 000008
【図７】
2008206099.tif 000009
【図８】
2008206099.tif 000010
【図９】
2008206099.tif 000011
【図１０】
2008206099.tif 000012
【図１１】
2008206099.tif 000013
【図１２】
2008206099.tif 000014
【図１３】
2008206099.tif 000015
【図１４】
2008206099.tif 000016